(57)【特許請求の範囲】
【請求項１】
データを生成するセンサ部と、
前記データを無線送信する無線通信部と、
前記センサ部、及び、前記無線通信部に電力を供給する主電力供給部と、
前記無線通信部に電力を供給する補助電力供給部と、
前記データの無線送信の送信緊急性の高低を判定する判定部と、
前記データを前記無線通信部に前記無線送信させる制御を実施する制御部であって、前記判定部により前記送信緊急性が低いと判定された前記データを前記無線通信部に前記無線送信させる際、前記主電力供給部の残電力量に関わらず、前記無線通信部には前記主電力供給部から供給される電力の使用を禁止させる制御を実施するとともに、前記送信緊急性が低いと判定された前記データは、外部から前記補助電力供給部に供給中の電力のみを用いて当該供給されている間にのみ前記無線通信部から無線送信させる制御を実施する制御部と、
を有することを特徴とする無線端末。
【請求項２】
前記データを保持する保持部を更に有し、
前記制御部は、前記判定部により前記送信緊急性が低いと判定された前記データを前記保持部に保持させる制御を実施する
ことを特徴とする請求項１に記載の無線端末。
【請求項３】
前記判定部は、前記保持部に保持される前記データに対して送信期限を設定するとともに、前記送信期限に到達した前記データの前記送信緊急性は高いと判定する
ことを特徴とする請求項２に記載の無線端末。
【請求項４】
前記補助電力供給部は、外部からの充電が可能な充電池を有し、
前記判定部は、前記充電池の充電残量が所定以上である場合、前記補助電力供給部から供給される前記電力は十分であると判定する
ことを特徴とする請求項１に記載の無線端末。
【請求項５】
無線端末の制御方法であって、
前記無線端末が備えるセンサ部でデータを生成するセンサステップと、
前記無線端末が備える無線通信部から前記データを無線送信する無線通信ステップと、
前記無線端末が備える主電力供給部から、前記センサ部、及び、前記無線通信部に電力を供給する主電力供給ステップと、
前記無線端末が備える補助電力供給部から、前記無線通信部に電力を供給する補助電力供給ステップと、
前記データの無線送信の送信緊急性の高低を判定する判定ステップと、
前記データを前記無線通信部に前記無線送信させる制御を実施するとともに、前記判定ステップにより前記送信緊急性が低いと判定された前記データを前記無線通信部に前記無線送信させる際、前記主電力供給部の残電力量に関わらず、前記無線通信部には前記主電力供給部から供給される電力の使用を禁止させる制御を実施するとともに、前記送信緊急性が低いと判定された前記データは、外部から前記補助電力供給部に供給中の電力のみを用いて当該供給されている間にのみ前記無線通信部から無線送信させる制御を実施する制御ステップと、
を含むことを特徴とする無線端末の制御方法。
【発明の詳細な説明】
【技術分野】
【０００１】
本発明は、無線端末および無線端末の制御方法に関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、端末を自由に持ち歩くことができるようにすることが望ましい。このようなニーズは、医療分野、特に植込み型医療機器ではより大きい。
【０００３】
植込み型医療機器は、一般に電力を電池から得て動作する。従って、電池が消耗し電圧が低下した場合には電池交換が必要となる。植込み型医療機器の電池交換には手術が必要であり、患者への負担が大きく感染症等の副作用も発生するため、電池の消耗は極力避けたいとの要望がある。このような要望に対して、振動や、温度差や、光や、電磁波などから電力を生成する技術の検討が進んでいる。例えば、無線通信技術と、電磁波から電力を生成する技術とを組み合わせた製品の例として、非接触ＩＣカードが挙げられる。また、一次電池と、電磁波のエネルギーを整流して蓄電される蓄電用コンデンサとを内蔵し、受信する電磁波が強い場合には蓄電用コンデンサの電力を使用し、受信する電磁波が弱い場合には一次電池を使用して動作することで、一次電池の寿命を延ばすことが可能な非接触ＩＣカードが知られている（例えば、特許文献１参照）。
【先行技術文献】
【特許文献】
【０００４】
【特許文献１】特開平８−６９５１３号公報
【発明の概要】
【発明が解決しようとする課題】
【０００５】
しかしながら、特許文献１に記載されている非接触ＩＣカードは、電磁波の強度が弱い相手との通信が続くと電池の利用が続いてしまい、一次電池の消耗が大きくなってしまう問題があった。
【０００６】
本発明は、上記の問題を解決するためになされたものであり、一次電池等の主電力供給部の消耗をより抑えることができる無線端末および無線端末の制御方法を提供することを目的とする。
【課題を解決するための手段】
【０００７】
本発明は、データを生成するセンサ部と、前記データを無線送信する無線通信部と、前記センサ部、及び、前記無線通信部に電力を供給する主電力供給部と、前記無線通信部に電力を供給する補助電力供給部と、前記データの無線送信の送信緊急性の高低を判定する判定部と、前記データを前記無線通信部に前記無線送信させる制御を実施する制御部であって、前記判定部により前記送信緊急性が低いと判定された前記データを前記無線通信部に前記無線送信させる際、前記主電力供給部の残電力量に関わらず、前記無線通信部には前記主電力供給部から供給される電力の使用を禁止させる制御を実施するとともに、前記送信緊急性が低いと判定された前記データは、外部から前記補助電力供給部に供給中の電力のみを用いて当該供給されている間にのみ前記無線通信部から無線送信させる制御を実施する制御部と、を有することを特徴とする無線端末である。
【０００９】
また、本発明は、前記データを保持する保持部を更に有し、前記制御部は、前記判定部により前記送信緊急性が低いと判定された前記データを前記保持部に保持させる制御を実施することを特徴とする無線端末である。
【００１０】
また、本発明の無線端末において、前記判定部は、前記保持部に保持される前記データに対して送信期限を設定するとともに、前記送信期限に到達した前記データの前記送信緊急性は高いと判定することを特徴とする。
【００１２】
また、本発明の無線端末において、前記補助電力供給部は、外部からの充電が可能な充電池を有し、前記判定部は、前記充電池の充電残量が所定以上である場合、前記補助電力供給部から供給される前記電力は十分であると判定することを特徴とする。
また、本発明は、無線端末の制御方法であって、前記無線端末が備えるセンサ部でデータを生成するセンサステップと、前記無線端末が備える無線通信部から前記データを無線送信する無線通信ステップと、前記無線端末が備える主電力供給部から、前記センサ部、及び、前記無線通信部に電力を供給する主電力供給ステップと、前記無線端末が備える補助電力供給部から、前記無線通信部に電力を供給する補助電力供給ステップと、前記データの無線送信の送信緊急性の高低を判定する判定ステップと、前記データを前記無線通信部に前記無線送信させる制御を実施するとともに、前記判定ステップにより前記送信緊急性が低いと判定された前記データを前記無線通信部に前記無線送信させる際、前記主電力供給部の残電力量に関わらず、前記無線通信部には前記主電力供給部から供給される電力の使用を禁止させる制御を実施するとともに、前記送信緊急性が低いと判定された前記データは、外部から前記補助電力供給部に供給中の電力のみを用いて当該供給されている間にのみ前記無線通信部から無線送信させる制御を実施する制御ステップと、を含むことを特徴とする無線端末の制御方法である。
【発明の効果】
【００１３】
本発明によれば、判定部は、データの無線送信の送信緊急性の高低を判定する。また、制御部は、判定部により送信緊急性が低いと判定されたデータを無線通信部に無線送信させる際、主電力供給部の残電力量に関わらず、無線通信部には主電力供給部から供給される電力の使用を禁止させる。従って、主電力供給部の消耗をより抑えることができる。
【図面の簡単な説明】
【００１４】
【図１】本発明の第１の実施形態における生体データ監視システムの構成を示した概略図である。
【図２】本発明の第１の実施形態における無線センシング端末の構成を示したブロック図である。
【図３】本発明の第１の実施形態におけるデータ収集端末の構成を示したブロック図である。
【図４】本発明の第１の実施形態における電力生成部の構成を示したブロック図である。
【図５】本発明の第１の実施形態における充電池を備えた電力生成部の構成を示したブロック図である。
【図６】本発明の第１の実施形態における判定部の処理手順を示したフローチャートである。
【図７】本発明の第１の実施形態において、判定部から入力される指示に対応する制御部の動作を表形式で示した図である。
【図８】本発明の第２の実施形態における判定部の処理手順を示したフローチャートである。
【図９】本発明の第３の実施形態における無線センシング端末の構成を示したブロック図である。
【図１０】本発明の第３の実施形態における判定部とタイマ部との処理手順を示したフローチャートである。
【図１１】本発明の第４の実施形態における判定部とタイマ部との処理手順を示したフローチャートである。
【発明を実施するための形態】
【００１５】
（第１の実施形態）
以下、本発明の第１の実施形態について図を参照しながら説明する。図１は、本実施形態における生体データ監視システムの構成を示した概略図である。生体データ監視システム１は、無線センシング端末１０と、データ収集端末２０とを備える。無線センシング端末１０は、各種センサを使って人体表面または体内から血圧、脈拍、心電、心拍、血中酸素濃度、体温、尿糖、血糖等の生体データを取得する。また、無線センシング端末１０は、各種センサを使って無線センシング端末１０が備える各部の状態を示す機器状態データを取得する。また、無線センシング端末１０は、取得した生体データ及び機器状態データをデータ収集端末２０に無線伝送する。データ収集端末２０は、無線センシング端末１０から無線伝送される生体データ及び機器状態データを収集して保存する。なお、本実施形態では、無線センシング端末１０とデータ収集端末２０とが１対１で無線通信を行うものとして説明を行うが、１対Ｎ、Ｍ対１、Ｍ対Ｎのいずれの関係においても、本発明は適用可能である（ＮおよびＭは自然数）。
【００１６】
次に、無線センシング端末１０の構成について説明する。図２は、本実施形態における無線センシング端末１０の構成を示したブロック図である。図示する例では、無線センシング端末１０は、センサ部１１と、保持部１２と、判定部１３と、制御部１４と、電池１５（主電力供給部）と、電力生成部１６（補助電力供給部）と、電源切替部１７と、無線通信部１８と、アンテナ１９とを備える。
【００１７】
センサ部１１は、人体表面または体内に設置され、血圧、脈拍、心電、心拍、血中酸素濃度、体温、尿糖、血糖等をセンシングして生体データを取得する。また、センサ部１１は、電力生成部１６が生成する電力の電圧や、電池１５の電圧など、無線センシング端末１０が備える各部の状態をセンシングして機器状態データを取得する。以下、センサ部１１が取得する生体データや機器状態データなどを収集データと記載する。また、センサ部１１は、収集データを保持部１２と判定部１３とに出力する。なお、センサ部１１は、収集データに対して、当該データを一意に特定することができる識別子（以下、共通識別子と記載する）を付与する。
【００１８】
保持部１２は、センサ部１１が出力した収集データを取得して保持し、保持した収集データを制御部１４の制御に従って無線通信部１０に対して出力する。判定部１３は、センサ部１１が出力した収集データを取得し、取得した収集データは送信緊急性が高いデータか低いデータかを判定する。なお、送信緊急性が高いデータは、データ収集端末２０に対して早急に送信する必要があるデータであり、送信緊急性が低いデータは、データ収集端末２０に対して早急に送信する必要がないデータである。また、判定部１３は、電力生成部１６が生成した電力は無線通信部１８がデータを送信するために必要な電力以上であるか否かを判定する。なお、判定部１３の詳細な動作については後述する。制御部１４は、無線センシング端末１０が備える各部の制御を行う。制御部１４の詳細な動作については後述する。
【００１９】
電池１５は、一次電池であり、センサ部１１に電力を供給し、さらに電源切替部１７の動作に基づいて無線通信部１８に電力を供給する。なお、電池１５が供給可能な電力量は有限である。電力生成部１６は、振動や、温度差や、光や、電磁波などを用いて電力を生成する装置であり、判定部１３に電力を供給し、さらに、電源切替部１７の動作に基づいて無線通信部１８に電力を供給する。なお、電力生成部１６は、外部から電力の供給を受け、外部から供給を受けた電力を判定部１３に供給し、さらに、電源切替部１７の動作に基づいて無線通信部１８に供給する構成であってもよい。電源切替部１７は、制御部１４の制御に従い、電池１５または電力生成部１６のいずれかが出力する電力を無線通信部１８に対して供給する動作を行う。
【００２０】
無線通信部１８は、保持部１２が出力した収集データを取得し、取得した収集データを、電池１５または電力生成部１６から供給される電力を用いて、アンテナ１９を介してデータ収集端末２０に対して送信する。
【００２１】
次に、データ収集端末２０の構成について説明する。図３は、本実施形態におけるデータ収集端末２０の構成を示したブロック図である。図示する例では、データ収集端末２０は、無線通信部２１と、データ処理部２２と、記憶部２３と、表示部２４と、アンテナ２５とを備える。
【００２２】
無線通信部２１は、無線センシング端末１０から送信された収集データを、アンテナ２５を介して受信し、受信した収集データをデータ処理部２２に対して出力する。データ処理部２２は、無線通信部２１が出力した収集データを取得する。そして、データ処理部２２は、取得した収集データのデータ形式を記憶用のデータ形式に変換して記憶用データを生成し、生成した記憶用データを記憶部２３に対して出力するとともに、取得した収集データを文字や画像などの表示データに変換し、変換した表示データを表示部２４に対して出力する。記憶部２３は、データ処理部２２が出力した記憶用データを記憶する。表示部２４は、データ処理部２２が出力した表示データを表示する。この構成により、データ収集端末２０は、無線センシング端末１０から送信された収集データを表示部２４に表示させることができ、記憶部２３に記憶させることができる。
【００２３】
次に、無線センシング端末１０が備える電力生成部１６の構成について説明する。なお、電力生成部１６は、振動や、温度差や、光や、電磁波などを用いて電力を生成する装置であればどのような装置でもよいが、ここでは電磁波を用いて電力を生成する場合の構成を例に用いて説明する。図４は、本実施形態における電力生成部１６の構成を示したブロック図である。図示する例では、電力生成部１６は、整流部１６１とアンテナ１６２とを備える。電磁波を用いて電力を生成する電源生成部１６は、アンテナ１６２で受信した電磁波（交流信号）を整流回路１６１で整流して直流化することで、電力（直流電力）を生成する。
【００２４】
なお、電力生成部１６は、充電池（二次電池）を備え、生成した電力を一旦充電池に蓄積して充電池から外部に電力を供給するようにしてもよい。図５は、本実施形態における、充電池を備えた電力生成部１６の構成を示したブロック図である。図示する例では、電力生成部１６は、整流部１６１とアンテナ１６２と、充電池１６３とを備える。充電池１６３を備える電源生成部１６は、生成した電力を充電池１６３に蓄積する。このように、電力生成部１６が充電池１６３を備え、充電池１６３から電力を出力する構成とすると、無線通信部１８が無線通信を行う際に、整流回路が無出力もしくは無線通信を行うために不十分な電力しか供給できない場合でも、従前に充電池１６３に蓄積した電力を無線通信部１０に供給することができるため、使い勝手をより向上させることができる。
【００２５】
次に、判定部１３の詳細な処理手順について説明する。図６は、本実施形態における判定部１３の処理手順を示したフローチャートである。
（ステップＳ１０１）判定部１３は、センサ部１１が出力した収集データを取得した場合、送信要否判定ステップを実行する。送信要否判定ステップでは、判定部１３は、取得した収集データはデータ収集端末２０に対して送信する必要が無いデータであるか否かを判定する。取得した収集データはデータ収集端末２０に対して送信する必要が無いデータであると判定部１３が判定した場合にはステップＳ１０４の処理に進み、送信する必要があるデータであると判定部１３が判定した場合にはステップＳ１０２の処理に進む。例えば、判定部１３は、センサ部１１が出力した収集データが、無線センシング端末１０が正常に動いていることを示すデータである場合、データ収集端末２０に対して送信する必要が無いデータと判定し、それ以外のデータの場合、データ収集端末２０に対して送信する必要があるデータと判定する。データ収集端末２０に対して送信する必要が無いデータであるか否かの基準については、予め定めていてもよく、任意に設定することができるようにしてもよい。
【００２６】
（ステップＳ１０２）判定部１３は送信緊急性判定ステップを実行する。送信緊急性判定ステップでは、判定部１３は、ステップＳ１０１の処理で送信が必要であると判断された収集データは、送信緊急性が高いデータであるか否かを判定する。ステップＳ１０１の処理で送信が必要であると判断された収集データは、送信緊急性が高いデータであると判定部１３が判定した場合にはステップＳ１０５の処理に進み、送信緊急性が低いデータであると判定部１３が判定した場合にはステップＳ１０３の処理に進む。例えば、判定部１３は、ステップＳ１０１の処理で送信が必要であると判断された収集データが脈拍データであり、脈拍値が所定の値未満の場合（正常値よりも低い場合）には、送信緊急性が高いデータであると判定し、脈拍値が所定の値以上の場合には、送信緊急性が低いデータであると判定する。送信緊急性の高低の基準については、予め定めていてもよく、任意に設定することができるようにしてもよい。なお、ステップＳ１０３の処理に進む際には、制御部１４は、保持部１２が保持している収集データを、そのまま保持部１２に保持させる。
【００２７】
（ステップＳ１０３）判定部１３は電力判定ステップを実行する。電力判定ステップでは、判定部１３は、電力生成部１６が生成した電力は無線通信部１８がデータを送信するために必要な電力以上であるか否か（電力生成部１６が生成した電力は基準値以上であるか否か）を判定する。具体的には、判定部１３は、電力生成部１６が生成した電力の電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ１０６の処理に進む。また、判定部１３は、電力生成部１６が生成した電力の電圧が閾値未満である場合には、電力生成部１６が生成した電力は無線通信部１８がデータを送信するために必要な電力未満であると判定して、ステップＳ１０３の処理を再度実行する。
【００２８】
なお、電力生成部１６が充電池１６３を備えている場合、電力判定ステップにおいて、充電池１６３の充電残量が所定量以上であれば電力生成部１６が生成した電力は無線通信部１８がデータを送信するために必要な電力以上であると判定するようにしてもよい。また、電力生成部１６が外部から電力の供給を受けることができる構成の場合、電力判定ステップにおいて、電力生成部１６が外部から電力の供給を受けている間においては電力生成部１６が生成した電力は無線通信部１８がデータを送信するために必要な電力以上であると判定するようにしてもよい。
【００２９】
（ステップＳ１０４）判定部１３は、収集データの送信を行わないことを指示する送信キャンセル指示と、ステップＳ１０１の処理で取得した収集データに付されている共通識別子とを制御部１４に対して出力する。その後、処理を終了する。
（ステップＳ１０５）判定部１３は、電池１５が供給する電力を用いて収集データの送信を行うことを指示する緊急送信指示と、ステップＳ１０１の処理で取得した収集データに付されている共通識別子とを制御部１４に対して出力する。その後、処理を終了する。
（ステップＳ１０６）判定部１３は、電力生成部１６が生成した電力を用いて収集データの送信を行うことを指示する省電力送信指示と、ステップＳ１０１の処理で取得した収集データに付されている共通識別子とを制御部１４に対して出力する。その後、処理を終了する。
【００３０】
次に、判定部１３から「緊急送信指示」と、「省電力送信指示」と、「送信キャンセル指示」とがそれぞれ入力された場合における、制御部１４の動作について説明する。図７は、本実施形態において、判定部１３から入力される指示に対応する制御部１４の動作を表形式で示した図である。図示する例では、判定部１３から入力された指示と、制御部１４が判断部１３から入力された指示に基づいて行う保持部１２に対する制御内容と電源切替部１７に対する制御内容とが関連付けて示されている。
【００３１】
具体的には、判断部１３から「緊急送信指示」と「共通識別子」とが入力された場合、制御部１４は、保持部１２に、共通識別子で特定される収集データを無線通信部１８に対して出力させるとともに、電力切替部１７を制御して、電池１５が出力する電力を無線通信部１８に供給させる。この制御により、無線通信部１８は、共通識別子で特定される収集データを、電池１５から供給される電力を用いてデータ収集端末２０に送信する。
【００３２】
また、判断部１３から「省電力送信指示」と「共通識別子」とが入力された場合、制御部１４は、保持部１２に、共通識別子で特定される収集データを無線通信部１８に対して出力させるとともに、電力切替部１７を制御して、無線通信部１８が電池１５の供給電力を使用することを禁止し、電力生成部１６が生成した電力を無線通信部１８に供給させる。この制御により、無線通信部１８は、共通識別子で特定される収集データを、電力生成部１６が生成した電力を用いてデータ収集端末２０に送信する。
【００３３】
また、判断部１３から「送信キャンセル指示」と「共通識別子」とが入力された場合、制御部１４は、保持部１２に、共通識別子で特定される収集データを削除させる。この制御により、共通識別子で特定される収集データをデータ収集端末２０に送信させずに削除する。
【００３４】
上述した構成および処理により、無線センシング端末１０は、送信緊急性が低いデータをデータ収集端末２０に送信する際には、電池１５が供給する電力を使用することを禁止し、電力生成部１６が生成した電力を用いるように動作することができる。従って、無線センシング端末１０は、供給可能な電力量が有限である電池１５の消耗を抑えることができる。
【００３５】
（第２の実施形態）
次に、本発明の第２の実施形態について図を参照しながら説明する。本実施形態における無線センシング端末１０とデータ収集端末２０との構成は、第１の実施形態の各装置の構成と同様である。本実施形態と第１の実施形態とで異なる点は、本実施形態では、送信緊急性の高い収集データを送信する際において、電力生成部１６が生成する電力が十分である場合、電池１５が供給する電力を用いて送信するのではなく、電力生成部１６が生成した電力を用いて送信する点である。なお、制御部１４は、第１の実施形態における制御部１４と同様の動作を行う。
【００３６】
次に、判定部１３の詳細な処理手順について説明する。図８は、本実施形態における判定部１３の処理手順を示したフローチャートである。
（ステップＳ２０１）判定部１３は、センサ部１１が出力した収集データを取得した場合、送信要否判定ステップを実行する。送信要否判定ステップでの処理は、第１の実施形態における送信要否判定ステップでの処理と同様である。取得した収集データはデータ収集端末２０に対して送信する必要が無いデータであると判定部１３が判定した場合にはステップＳ２０５の処理に進み、送信する必要があるデータであると判定部１３が判定した場合にはステップＳ２０２の処理に進む。
【００３７】
（ステップＳ２０２）判定部１３は送信緊急性判定ステップを実行する。送信緊急性判定ステップでの処理は、第１の実施形態における送信緊急性判定ステップでの処理と同様である。ステップＳ２０１の処理で送信が必要であると判断された収集データは、送信緊急性が高いデータであると判定部１３が判定した場合にはステップＳ２０４の処理に進み、送信緊急性が低いデータであると判定部１３が判定した場合にはステップＳ２０３の処理に進む。
【００３８】
（ステップＳ２０３）判定部１３は電力判定ステップを実行する。電力判定ステップでの処理は、第１の実施形態における電力判定ステップでの処理と同様である。判定部１３は、電力生成部１６が生成した電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ２０７の処理に進み、電力生成部１６が生成した電力の電圧が閾値未満である場合には、判定部１３は、電力生成部１６が生成した電力は無線通信部１８がデータを送信するために必要な電力未満であると判定してステップＳ２０３の処理を再度実行する。
【００３９】
（ステップＳ２０４）判定部１３はステップＳ２０３の処理と同様に電力判定ステップを実行する。判定部１３は、電力生成部１６が生成した電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ２０７の処理に進み、電力生成部１６が生成した電力の電圧が閾値未満である場合には、判定部１３は、電力生成部１６が生成した電力は無線通信部１８がデータを送信するために必要な電力未満であると判定してステップＳ２０６の処理に進む。
【００４０】
（ステップＳ２０５）判定部１３は、収集データの送信を行わないことを指示する送信キャンセル指示と、ステップＳ２０１の処理で取得した収集データに付されている共通識別子とを制御部１４に対して出力する。その後、処理を終了する。
（ステップＳ２０６）判定部１３は、電池１５が供給する電力を用いて収集データの送信を行うことを指示する緊急送信指示と、ステップＳ２０１の処理で取得した収集データに付されている共通識別子とを制御部１４に対して出力する。その後、処理を終了する。
（ステップＳ２０７）判定部１３は、電力生成部１６が生成した電力を用いて収集データの送信を行うことを指示する省電力送信指示と、ステップＳ２０１の処理で取得した収集データに付されている共通識別子とを制御部１４に対して出力する。その後、処理を終了する。
【００４１】
上述した構成および処理により、無線センシング端末１０は、送信緊急性が低いデータをデータ収集端末２０に送信する際には、電池１５が供給する電力を使用することを禁止し、電力生成部１６が生成した電力を用いるように動作することができる。従って、無線センシング端末１０は、供給可能な電力量が有限である電池１５の消耗を抑えることができる。さらに、本実施形態では、ステップＳ２０４の処理を実行することで、送信緊急性が高いデータを送信する際において、電力生成部１６が生成する電力が十分である場合、電池１５が供給する電力を用いるのではなく、電力生成部１６が生成した電力を用いることができる。従って、無線センシング端末１０は、供給可能な電力量が有限である電池１５の消耗をさらに抑えることができる。
【００４２】
（第３の実施形態）
次に、本発明の第３の実施形態について図を参照しながら説明する。本実施形態におけるデータ収集端末２０の構成は、第１の実施形態のデータ収集端末２０の構成と同様である。本実施形態と第１の実施形態とで異なる点は、本実施形態では、無線センシング端末は、タイマ部を備えており、送信期限が過ぎた収集データを、電池１５が供給する電力を用いて送信する点である。なお、制御部１４は、第１の実施形態における制御部１４と同様の動作を行う。
【００４３】
次に、無線センシング端末の構成について説明する。図９は、本実施形態における無線センシング端末３０の構成を示したブロック図である。図示する例では、無線センシング端末３０は、センサ部１１と、保持部１２と、判定部１３と、制御部１４と、電池１５と、電力生成部１６と、電源切替部１７と、無線通信部１８と、アンテナ１９と、タイマ部３１とを備える。
【００４４】
センサ部１１と、保持部１２と、判定部１３と、制御部１４と、電池１５と、電力生成部１６と、電源切替部１７と、無線通信部１８と、アンテナ１９とは第１の実施形態における各部と同様である。タイマ部３１は、判定部１３からの指示に基づいて、未送信である収集データに対して送信期限を設定し、送信期限に到達した場合に送信期限到達通知を判定部に出力する。
【００４５】
次に、判定部１３とタイマ部３１との詳細な処理手順について説明する。図１０は、本実施形態における判定部１３とタイマ部３１との処理手順を示したフローチャートである。
（ステップＳ３０１）判定部１３は、センサ部１１が出力した収集データを取得した場合、送信要否判定ステップを実行する。送信要否判定ステップでの処理は、第１の実施形態における送信要否判定ステップでの処理と同様である。取得した収集データはデータ収集端末２０に対して送信する必要が無いデータであると判定部１３が判定した場合にはステップＳ３０６の処理に進み、送信する必要があるデータであると判定部１３が判定した場合にはステップＳ３０２の処理に進む。
【００４６】
（ステップＳ３０２）判定部１３は送信緊急性判定ステップを実行する。送信緊急性判定ステップでの処理は、第１の実施形態における送信緊急性判定ステップでの処理と同様である。ステップＳ３０１の処理で送信が必要であると判定された収集データは、送信緊急性が高いデータであると判定部１３が判定した場合にはステップＳ３０７の処理に進み、送信緊急性が低いデータであると判定部１３が判定した場合にはステップＳ３０３の処理に進む。
【００４７】
（ステップＳ３０３）タイマ部３１は、ステップＳ３０２の処理で送信緊急性が低いデータであると判定された収集データに対して送信期限を設定する。その後、ステップＳ３０４の処理に進む。例えば、状態監視のために、収集データを１時間に１回定期的にデータ収集端末２０に送信する必要がある場合、送信期限を「１時間」と決定する。
【００４８】
（ステップＳ３０４）判定部１３は電力判定ステップを実行する。電力判定ステップでの処理は、第１の実施形態における電力判定ステップでの処理と同様である。判定部１３は、電力生成部１６が生成した電力の電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ３０８の処理に進み、電力生成部１６が生成した電力の電圧が閾値未満である場合には、判定部１３は、電力生成部１６が生成した電力は無線通信部１８がデータを送信するために必要な電力未満であると判定してステップＳ３０５の処理に進む。
【００４９】
（ステップＳ３０５）判定部１３は送信期限満了判定ステップを実行する。送信期限満了判定ステップでは、判定部１３はステップＳ３０３で送信期限を設定した収集データの送信期限が満了したか否かを、タイマ部３１が出力する送信期限到達通知に基づいて判定する。タイマ部３１は、送信期限に到達した場合に送信期限到達通知を判定部１３に対して出力するため、判定部１３は、タイマ部３１が出力する送信期限到達通知を取得した場合には送信期限が満了したと判定し、それ以外の場合には送信期限が満了していないと判定する。判定部１３は、ステップＳ３０３で送信期限を設定した収集データの送信期限が満了したと判定した場合には、送信期限が満了した収集データは送信緊急性が高いデータであると判定してステップＳ３０７の処理に進み、それ以外の場合にはステップＳ３０４の処理に戻る。
【００５０】
（ステップＳ３０６）判定部１３は、収集データの送信を行わないことを指示する送信キャンセル指示と、ステップＳ３０１の処理で取得した収集データに付されている共通識別子とを制御部１４に対して出力する。その後、処理を終了する。
（ステップＳ３０７）判定部１３は、電池１５が供給する電力を用いて収集データの送信を行うことを指示する緊急送信指示と、ステップＳ３０１の処理で取得した収集データに付されている共通識別子とを制御部１４に対して出力する。その後、処理を終了する。
（ステップＳ３０８）判定部１３は、電力生成部１６が生成した電力を用いて収集データの送信を行うことを指示する省電力送信指示と、ステップＳ３０１の処理で取得した収集データに付されている共通識別子とを制御部１４に対して出力する。その後、処理を終了する。
【００５１】
上述した構成および処理により、無線センシング端末３０は、送信緊急性が低いデータをデータ収集端末２０に送信する際には、電池１５が供給する電力を使用することを禁止し、電力生成部１６が生成した電力を用いるように動作することができる。また、無線センシング端末３０は、送信緊急性が低いデータであっても送信期限が経過した場合には、電池１５が供給する電力を用いてデータを送信する。例えば、電力生成部１６が生成する電力が低く、送信緊急性が低い収集データを電力生成部１６が生成した電力を用いて送信することができない期間が一定期間続いたとしても、送信期限が経過した場合には電池１５が供給する電力を用いて送信する。従って、無線センシング端末３０は、供給可能な電力量が有限である電池１５の消耗を抑えつつ、送信緊急性が低い収集データについても送信期限が経過した場合には必ず送信することができる。
【００５２】
（第４の実施形態）
次に、本発明の第４の実施形態について図を参照しながら説明する。本実施形態における無線センシング端末３０とデータ収集端末２０との構成は、第３の実施形態の各装置の構成と同様である。本実施形態と第３の実施形態とで異なる点は、本実施形態では、送信緊急性が高いデータを送信する際において、電力生成部１６が生成する電力が十分である場合、電池１５が供給する電力を用いて送信するのではなく、電力生成部１６が生成した電力を用いて送信する点である。なお、制御部１４は、第１の実施形態における制御部１４と同様の動作を行う。
【００５３】
次に、判定部１３とタイマ部３１との詳細な処理手順について説明する。図１１は、本実施形態における判定部１３とタイマ部３１との処理手順を示したフローチャートである。
（ステップＳ４０１）判定部１３は、センサ部１１が出力した収集データを取得した場合、送信要否判定ステップを実行する。送信要否判定ステップでの処理は、第１の実施形態における送信要否判定ステップでの処理と同様である。取得した収集データはデータ収集端末２０に対して送信する必要が無いデータであると判定部１３が判定した場合にはステップＳ４０７の処理に進み、送信する必要があるデータであると判定部１３が判定した場合にはステップＳ４０２の処理に進む。
【００５４】
（ステップＳ４０２）判定部１３は送信緊急性判定ステップを実行する。送信緊急性判定ステップでの処理は、第１の実施形態における送信緊急性判定ステップでの処理と同様である。ステップＳ４０１の処理で送信が必要であると判断された収集データは、送信緊急性が高いデータであると判定部１３が判定した場合にはステップＳ４０６の処理に進み、送信緊急性が低いデータであると判定部１３が判定した場合にはステップＳ４０３の処理に進む。
【００５５】
（ステップＳ４０３）タイマ部３１は、ステップＳ４０２の処理で送信緊急性が低いデータであると判定された収集データに対して送信期限を設定する。その後、ステップＳ４０４の処理に進む。
【００５６】
（ステップＳ４０４）判定部１３は電力判定ステップを実行する。電力判定ステップでの処理は、第１の実施形態における電力判定ステップでの処理と同様である。判定部１３は、電力生成部１６が生成した電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ４０９の処理に進み、電力生成部１６が生成した電力の電圧が閾値未満である場合には、判定部１３は、電力生成部１６が生成した電力は無線通信部１８がデータを送信するために必要な電力未満であると判定してステップＳ４０５の処理に進む。
【００５７】
（ステップＳ４０５）判定部１３は送信期限満了判定ステップを実行する。送信期限満了判定ステップでの処理は、第３の実施形態における送信期限満了判定ステップでの処理と同様の処理を行う。判定部１３は、ステップＳ４０３で送信期限を設定した収集データの送信期限が満了したと判定した場合には、送信期限が満了した収集データは送信緊急性が高いデータであると判定してステップＳ４０８の処理に進み、それ以外の場合にはステップＳ４０４の処理に戻る。
【００５８】
（ステップＳ４０６）判定部１３はステップＳ４０４の処理と同様に電力判定ステップを実行する。判定部１３は、電力生成部１６が生成した電圧を検出し、予め設定した閾値と比較する。そして、電力生成部１６が生成した電力の電圧が閾値以上である場合には、判定部１３は、電力生成部１６が生成した電力は無線通信部１８がデータを送信するために必要な電力以上であると判定してステップＳ４０９の処理に進み、電力生成部１６が生成した電力の電圧が閾値未満である場合には、判定部１３は、電力生成部１６が生成した電力は無線通信部１８がデータを送信するために必要な電力未満であると判定してステップＳ４０８の処理に進む。
【００５９】
（ステップＳ４０７）判定部１３は、収集データの送信を行わないことを指示する送信キャンセル指示と、ステップＳ４０１の処理で取得した収集データに付されている共通識別子とを制御部１４に対して出力する。その後、処理を終了する。
（ステップＳ４０８）判定部１３は、電池１５が供給する電力を用いて収集データの送信を行うことを指示する緊急送信指示と、ステップＳ４０１の処理で取得した収集データに付されている共通識別子とを制御部１４に対して出力する。その後、処理を終了する。
（ステップＳ４０９）判定部１３は、電力生成部１６が生成した電力を用いて収集データの送信を行うことを指示する省電力送信指示と、ステップＳ４０１の処理で取得した収集データに付されている共通識別子とを制御部１４に対して出力する。その後、処理を終了する。
【００６０】
上述した構成および処理により、無線センシング端末３０は、送信緊急性が低いデータをデータ収集端末２０に送信する際には、電池１５が供給する電力を使用することを禁止し、電力生成部１６が生成した電力を用いるように動作することができる。また、無線センシング端末３０は、送信緊急性が低いデータであっても送信期限が経過した場合には、電池１５が供給する電力を用いて送信する。従って、無線センシング端末３０は、供給可能な電力量が有限である電池１５の消耗を抑えつつ、送信緊急性が低い収集データについても送信期限が経過した場合には必ず送信することができる。
【００６１】
さらに、本実施形態では、ステップＳ４０６の処理を実行することで、送信緊急性が高いデータを送信する際において、電力生成部１６が生成する電力が十分である場合、電池１５が供給する電力を用いて送信するのではなく、電力生成部１６が生成した電力を用いて送信することができる。従って、無線センシング端末３０は、供給可能な電力量が有限である電池１５の消耗をさらに抑えることができる。
【００６２】
以上、この発明の第１〜第４の実施形態について図面を参照して詳述してきたが、具体的な構成はこの実施形態に限られるものではなく、この発明の要旨を逸脱しない範囲の設計等も含まれる。例えば、第１〜第４の実施形態においては、無線センシング端末とデータ収集端末とが１対１で無線通信を行うものとして説明したが、１対Ｎ、Ｍ対１、Ｍ対Ｎのいずれの関係であっても本発明を適用することができる（ＮおよびＭは自然数）。また、第１〜第４の実施形態においては、電池１５がセンサ部１１に電力を供給しているが、電力生成部１６がセンサ部１１に電力を供給するようにしてもよい。
【符号の説明】
【００６３】
１・・・生体データ監視システム、１０・・・無線センシング端末、１１・・・センサ部、１２・・・保持部、１３・・・判定部、１４・・・制御部、１５・・・電池、１６・・・電力生成部、１７・・・電源切替部、１８・・・無線通信部、１９，２５，１６２・・・アンテナ、２０・・・データ収集端末、２１・・・無線通信部、２２・・・データ処理部、２３・・・記憶部、２４・・・表示部、３１・・・タイマ部、１６１・・・整流部、１６３・・・充電池
【図１】
0005722053.tif 000002
【図２】
0005722053.tif 000003
【図３】
0005722053.tif 000004
【図４】
0005722053.tif 000005
【図５】
0005722053.tif 000006
【図６】
0005722053.tif 000007
【図７】
0005722053.tif 000008
【図８】
0005722053.tif 000009
【図９】
0005722053.tif 000010
【図１０】
0005722053.tif 000011
【図１１】
0005722053.tif 000012